(57)【要約】      （修正有）【課題】傘に装着して繰り返し使用ができる携帯に便利な伸縮カバー付き傘の水滴捕捉用具を提供する。【解決手段】水滴捕捉用具のケース１−１と傘の土突きを嵌合させる土突き嵌合受保持部３は一体物として制作し、そのケースの内側に、撥水加工を施した布を円筒状に縫製した伸縮傘シート２の片方を固着させる。上記水滴捕捉用具のケースはゴム材、あるいは軟質プラスチックなどの弾性部材により形成し、上記伸縮傘シートは薄手の合成繊維に撥水加工し、円筒状に縫製する。【選択図】図５
0003106631.tif 000002
【実用新案登録請求の範囲】
【請求項１】
伸縮傘シート付き傘の水滴捕捉用具本体ケース１の内側に一体物として製作された石突き嵌合用保持部２を有し、その本体ケース１の中に伸縮傘シート２を収め、さらに、その本体ケース１に水抜き用の水抜き孔５をあけ、その水抜き孔５に、緊合する水抜きキャップ４を施したことを特徴とする伸縮傘シート付き傘の水滴捕捉用具。
【考案の詳細な説明】
【技術分野】
【０００１】本考案は、濡れた傘の水滴落下防止技術に関し、傘に装着して繰り返し使用ができる携帯に便利な伸縮カバー付き傘の水滴捕捉用具に関するものである。
【背景技術】
【０００２】従来は、雨天時に使用した傘を、折りたたんだ後に、電車やバス等の混雑した車中への濡れた傘の持込みは、隣人の衣服を汚損し易く、不愉快な思いがしていた。  また、デパートやスーパーなどの店舗内を持ち運ぶ際に、水滴落下や不用意に陳列物に接触させた場合、当該陳列物が濡れるなどの不都合があった。  そこで、デパートやスーパーなどでは、店頭入口にビニール袋製の簡易傘袋を備えつけ、顧客が該袋を傘に装着して店内に入るような態勢を採っている。しかしビニール製の傘袋を傘に装着する作業は、必ずしも手軽とは言えず、大半の顧客が未装着のまま濡れた傘を店内に持込み、このため床部に水滴が落下するばかりでなく店内陳列の商品が汚損されトラブルの原因となっていた。各人が気配りに腐心するところでありながら有効な対応手段が見出されていないのが現状であった。  特許出願２００１−２４６７６４  特許公開２００１−２５８６２１  特許公開２００１−８７０１９
【考案の開示】
【考案が解決しようとする課題】
【０００３】前述したようにビニール製の簡易傘袋内への傘の出し入れは非常に手間を要するものである。また、仮に普通の傘袋に出し入れをする場合でも、自動車に乗り込む場合等には、車外で一旦傘をたたんで傘袋に傘を入れる際に衣服を雨で濡らすこともある。【０００４】又傘を再び使用する場合には傘袋から傘を抜き取り、傘をひろげなければならず、更に水滴の溜まった傘袋の処理に非常に手間を要するばかりでなく、濡れた傘袋を持ち運ぶことにも問題があった。【０００５】そこで本考案では上記問題点を解消するために、傘先端の土突き部に着脱自在とした伸縮傘シート付き傘の水滴捕捉用具を提供することを目的とするものである。
【課題を解決するための手段】
【０００６】  本考案の伸縮傘シート付き傘の水滴捕捉用具１は、次のような構成の水受け具によって達成できる。  図５、図６に示すように、伸縮傘シート付き傘の水滴捕捉用具１の水滴捕捉用具のケース１−１と傘の土突きを嵌合させる土突き嵌合受保持部３は一体物として製作し、そのケースの内側に、撥水加工を施した布を円筒状に縫製した伸縮傘シート２の片方を固着させる。【０００７】  上記水滴捕捉用具のケース１−１は、ゴム材、あるいは軟質プラスチック材などの弾性部材により形成する。【０００８】  図６、図７の断面図に示すように、水滴捕捉用具のケース１−１の内側の中央に傘の土突きを嵌合させる土突き嵌合受保持部３をケースと一体物として製作する。【０００９】  伸縮傘シート２は、薄手の合成繊維が好ましいが、特に材質にはこだわらないが、撥水加工をしたものが好ましい。その繊維を円筒状に縫製する。【００１０】  この伸縮傘シート２を水滴捕捉用具のケースの内側に固着する。その固着の位置は、図５に示すように嵌合受保持部３の上部の位置と同じくする方が望ましい。【００１１】  また、図９に示すように、蛇腹状に折り目をつけてもいいが、そのことにはこだわらない。【００１２】  さらに、水滴捕捉用具のケース１−１には、水抜き孔５を設ける。その水抜き孔５には、水抜きキャップ４を緊合する。この水抜きキャップ４は水抜きをするときに使用する。【００１３】  以上の構成によって、伸縮傘シート付き傘の水滴捕捉用具はなるものである。  この伸縮傘シート付き傘の水滴捕捉用具を使用した図が、図１、図２、図３、図４に示す図である。
【考案の効果】
【００１４】本考案の伸縮傘シート付き傘の水滴捕捉用具１は、次のような種々の優れた効果利点を有する。まず従来一般の傘に簡単に装着でき、且つ、一旦装着した後は、傘の使用時、不使用時にかかわらず装着したままで手軽に携帯することができる。即ち本考案の伸縮傘シート付き傘の水滴捕捉用具を傘に装着しても、傘本来の形態や外観を損うことなく、また特に容量及び重量上の増加も極めてわずかであり、手軽に且つスマートに持ち歩くことができる。【００１５】従って、濡れた傘によって生ずる従来みられた各種の不都合が解消され、例えば濡れた傘の水滴で隣人の衣服を汚損することなどで不愉快な思をすることがなく、デパートやスーパーなどの店舗内を持ち運ぶ際に、水滴落下や不用意に陳列物に接触させ、当該陳列物が濡れるなどの不都合がなくなる。
【考案を実施するための最良の形態】
【００１６】  本考案の実施の形態としては、まず、傘の土突きを嵌合させる土突き嵌合受保持部３をゴム材、あるいは軟質プラスチック材などの弾力性のある材料で製作することによって、傘の土突きを嵌合する力が増す。また、このことによって、本考案の伸縮傘シート付き傘の水滴捕捉用具１を常時傘に取り付けて使用できる。
【実施例１】
【００１７】  しかし、この材質が弾力性のない材質であっても、本考案の伸縮傘シート付き傘の水滴捕捉用具１に紐を取り付けることによって、その紐で傘の柄などに結びつけるようにして使用することもできる。
【産業上の利用可能性】
【００１８】  本考案の伸縮傘シート付き傘の水滴捕捉用具１は、水滴捕捉用具のケース１−１と伸縮傘シート２の２つの部品から構成されており、水滴捕捉用具のケース１−１は、金型で製作でき、もう一つの伸縮傘シート２は、裁断された布の一片を縫製するだけで済む。その縫製された伸縮傘シート２を水滴捕捉用具のケース１−１の内側に、糊または接着剤で接着固着する。
【図面の簡単な説明】
【００１９】
【図１】傘の使用時における本考案の伸縮傘シート付き傘の水滴捕捉用具の取付位置を示す側面説明図である。
【図２】傘を折りたたんだ時における本考案の伸縮傘シート付き傘の水滴捕捉用具の取付位置を示す側面説明図である。
【図３】傘を折りたたみ、本考案の伸縮傘シート付き傘の水滴捕捉用具の伸縮傘シートを引き上げ初期を示す側面説明図
【図４】傘を折りたたみ、本考案の伸縮傘シート付き傘の水滴捕捉用具の伸縮傘シートを引き上げ終了を示す側面説明図
【図５】本考案の伸縮傘シート付き傘の水滴捕捉用具の内部詳細図
【図６】本考案の伸縮傘シート付き傘の水滴捕捉用具の立面断面詳細図
【図７】本考案の伸縮傘シート付き傘の水滴捕捉用具の平面断面図
【図８】本考案の伸縮傘シート付き傘の水滴捕捉用具の底面図
【図９】本考案の伸縮傘シート付き傘の水滴捕捉用具の伸縮傘シートの詳細図
【符号の説明】
【００２０】  １．本考案の伸縮傘シート付き傘の水滴捕捉用具本体  １−１．本考案の伸縮傘シート付き傘の水滴捕捉用具のケース  ２．本考案の伸縮傘シート  ２−１．本考案の伸縮傘シートの引き出し部位  ２−２．本考案の伸縮傘シートのケースへ固着部位  ３．石突き嵌合用保持部  ４．水抜き用キャップ  ５．水抜き孔
【図１】
0003106631.tif 000003
【図２】
0003106631.tif 000004
【図３】
0003106631.tif 000005
【図４】
0003106631.tif 000006
【図５】
0003106631.tif 000007
【図６】
0003106631.tif 000008
【図７】
0003106631.tif 000009
【図８】
0003106631.tif 000010
【図９】
0003106631.tif 000011